(57)【特許請求の範囲】
【請求項１】
光ファイバケーブルの芯線どおしの融着接続部および余長部が収容される箱状の融着接続トレイにおいて、
融着接続トレイに設けられる芯線導入口と、
融着接続トレイの底面に複数行および複数列にわたり設けられる第１取付部と、
板状の本体と、板状の本体の一方の面に形成された第２取付部と、板状の本体の他方の面に一体に突設されるとともに融着スリーブの長手方向に離隔した一組の挟持突片を一行としたときに複数行にわたり配列される複数の挟持突片と、を一体構造として有し、第１取付部と第２取付部とを着脱することにより融着接続トレイと着脱自在になされたスリーブ挟持部と、
を備える融着接続トレイであって、
スリーブ挟持部は、前記第１取付部の前記複数行の中から所定の行が選択され、かつ、前記複数列の中から所定の列が選択されることにより決定された最適位置で自らの第２取付部が結合され、さらに、複数行にわたり設けられる挟持突片の中から選択された対面する二個の挟持突片で挟持して融着スリーブを保持することを特徴とする光ファイバケーブルの融着接続トレイ。
【請求項２】
請求項１に記載の光ファイバケーブルの融着接続トレイにおいて、
前記第１取付部および前記第２取付部は、何れか一方が孔で、かつ、他方が突部の組み合わせであることを特徴とする光ファイバケーブルの融着接続トレイ。
【請求項３】
光ファイバケーブルの芯線どおしの融着接続部および余長部が収容される箱状の融着接続トレイにおいて、
融着接続トレイに設けられる芯線導入口と、
融着接続トレイの底面に設けられる誘導部と、
板状の本体と、板状の本体の一方の面に形成された被誘導部と、板状の本体の他方の面に一体に突設されるとともに融着スリーブの長手方向に離隔した一組の挟持突片を一行としたときに複数行にわたり配列される複数の挟持突片と、を一体構造として有し、誘導部と被誘導部とを着脱することにより融着接続トレイと着脱自在になされたスリーブ挟持部と、
を備える融着接続トレイであって、
スリーブ挟持部は、誘導部に被誘導部を沿わせながらスリーブ挟持部を移動させて、芯線の長さに応じた最適位置のスリーブ挟持部とし、さらに複数行にわたり設けられる挟持突片の中から選択された対面する二個の挟持突片で挟持して融着スリーブを保持することを特徴とする光ファイバケーブルの融着接続トレイ。
【請求項４】
請求項３に記載の光ファイバケーブルの融着接続トレイにおいて、
前記誘導部が溝孔で、かつ、前記被誘導部は突部であることを特徴とする光ファイバケーブルの融着接続トレイ。
【請求項５】
請求項３に記載の光ファイバケーブルの融着接続トレイにおいて、
前記誘導部が長片突部で、かつ、前記被誘導部は凹溝部であることを特徴とする光ファイバケーブルの融着接続トレイ。
【請求項６】
請求項１〜請求項５の何れか１項に記載の光ファイバケーブルの融着接続トレイにおいて、
前記スリーブ挟持部は挟持突片の数を異ならせた複数種類のスリーブ挟持部の中から、挟持される融着接続部の数により、選択されたスリーブ挟持部が連結されることを特徴とする光ファイバケーブルの融着接続トレイ。
【請求項７】
請求項１〜請求項６の何れか１項に記載の光ファイバケーブルの融着接続トレイにおいて、
前記融着接続トレイ上に立設され、かつ、芯線の余長部を案内するガイド壁を備え、
前記スリーブ挟持部はガイド壁内にあることを特徴とする光ファイバケーブルの融着接続トレイ。
【発明の詳細な説明】
【０００１】
【発明の属する技術分野】
本発明は、光ファイバケーブルの中継点等に設けられる光ファイバケーブル配線箱において、光ファイバケーブルの芯線どおしの融着接続部および余長部を収容する光ファイバケーブルの融着接続トレイに関する。
【０００２】
【従来の技術】
近年、いわゆるインターネットのように大容量のデータ通信の必要性が増加している。そこで、多量のデータを伝達できる光ファイバケーブルを利用した通信回線が整備されつつある。この場合、光ファイバケーブルは長さに限界があるので、中継点に設けた光ファイバケーブル配線箱等の内部において光ファイバケーブルの相互の芯線どおしを接続することとなる。
【０００３】
ここで、光ファイバケーブルは、周知のように中心部のテンションメンバの周りに複数の芯線を含む芯線ユニットを多数配置し、これらを被覆材で覆ってケーブル状とした構造が一般的である。このような光ファイバケーブル相互を接続する場合、芯線ユニットから引き出した芯線の端部どおしをスリーブ内で突き合わせて加熱融着することによって接続される。この場合芯線に余裕を持たせたループ状の余長部を持たせた上で接続される。
このような芯線の余長部および融着接続部を纏めて収容するため、光ファイバケーブルの接続中継点では、これらを収容する融着接続トレイが、光ファイバケーブル配線箱内に多段に積層して配置される。
【０００４】
このような融着接続トレイの先行技術例として、例えば本出願人による登録実用新案（実用新案登録第２５９０７５６号，考案の名称：光ファイバケーブルの融着接続トレイ）が存在する。登録実用新案によれば、融着接続トレイ中央の複数箇所で融着接続部を覆うスリーブを取り付けることができ、曲率半径を大きく維持しつつ光ファイバ芯線の取り付け位置を選択できるようになされている。
【０００５】
さて、このような光ファイバケーブルの融着接続では、屋外の電柱に電力線とともに共架された光ファイバケーブル、または、洞道内に敷設された光ファイバケーブルなどに対して分岐ケーブルを接続し、分岐点を生成するような接続もある。
【０００６】
図１１は、従来の分岐点における光ファイバケーブル配線箱（クロージャ）の内部構成図である。通過ケーブル１００は、ベースプレート１０１に取り付けられた固定具１０２ａ，１０２ｂの２点で固定されており、芯線を引き出し易くする。この通過ケーブル１００から引き出される２本の芯線１０３ａ，１０３ｂは、融着接続トレイ１０４上へ導入される。なお、通過ケーブル１００の他の芯線は、引き出されることなくそのままの状態を維持しているものとする。
【０００７】
一方、分岐ケーブル１０５からも２本の芯線１０６ａ，１０６ｂが引き出され、同じく、融着接続トレイ１０４上へ導入される。これら芯線１０３ａと芯線１０６ａどうしの端部、および、芯線１０３ｂと芯線１０６ｂどうしの端部は加熱溶着される。この溶着接続部は、スリーブ１０７ａ，１０７ｂで覆われて保護される。
この場合、分岐ケーブル１０５側の芯線１０６ａ，１０６ｂに余長部１０６ｃを設けている。この余長部１０６ｃは、ループ状に巻線収容されており、溶着接続部が適切位置となるように調整される。従来の分岐点における光ファイバケーブルの接続はこのようなものであった。
【０００８】
【発明が解決しようとする課題】
このような分岐点における光ファイバケーブルの芯線の余長部および融着接続部の収容では不具合が発生する場合もあった。以下、この不具合について説明する。
通過ケーブル１００から引き出される芯線１０３ａ，１０３ｂは、通過ケーブル１００の途中から一部のみ引き出されるため、図１１でも示すように、ループ状に巻線収容するに充分な余長を確保できない場合がある。
余長がないと以下に示すような不具合がある。
【０００９】
（１）融着接続部が常に中央になるとは限らない。
これは通過ケーブル１００の芯線１０３ａ，１０３ｂが充分な余長を確保できないことに起因して、図１１でも示すように融着接続部を覆うスリーブ１０７ａ，１０７ｂが中央に位置しない場合が発生する。例えば、先に説明した登録実用新案の融着接続トレイでは、中央の複数箇所で融着接続部を覆うスリーブを取り付けるものとしていたため、スリーブ１０７ａ，１０７ｂを挟持できなくなるという問題点があった。
【００１０】
（２）融着接続部の変更ができない。
他の芯線に付け替える必要がある場合、既存の融着接続部を切断して他の芯線と融着接続することとなるが、充分な余長を確保できていない通過ケーブル１００の芯線１０３ａ，１０３ｂは切断により更に短くなってしまい、この場合も、融着接続トレイ１０４の図示しないスリーブ挟持部が中央にのみあるような場合、スリーブ１０７ａ，１０７ｂを挟持できなくなるという問題点があった。
【００１１】
（３）所定の曲率で引き回しできない。
光ファイバの芯線に余長がないため、融着接続部の取り付け位置が限定されて最適な位置で取り付けることができない場合がある。この場合、芯線は充分大きい曲率で引き回しができずに芯線に無理な力が加わり、極端な場合には融着接続部が外れるというような問題点があった。
【００１２】
本発明は、上記問題点を解決するためになされたものであり、融着接続部の位置によらずに融着スリーブを確実に固定する光ファイバケーブルの融着接続トレイを提供することを目的とする。
【００１３】
【課題を解決するための手段】
上記課題を解決するために、請求項１記載の発明は、
光ファイバケーブルの芯線どおしの融着接続部および余長部が収容される箱状の融着接続トレイにおいて、
融着接続トレイに設けられる芯線導入口と、
融着接続トレイの底面に複数行および複数列にわたり設けられる第１取付部と、
板状の本体と、板状の本体の一方の面に形成された第２取付部と、板状の本体の他方の面に一体に突設されるとともに融着スリーブの長手方向に離隔した一組の挟持突片を一行としたときに複数行にわたり配列される複数の挟持突片と、を一体構造として有し、第１取付部と第２取付部とを着脱することにより融着接続トレイと着脱自在になされたスリーブ挟持部と、
を備える融着接続トレイであって、
スリーブ挟持部は、前記第１取付部の前記複数行の中から所定の行が選択され、かつ、前記複数列の中から所定の列が選択されることにより決定された最適位置で自らの第２取付部が結合され、さらに、複数行にわたり設けられる挟持突片の中から選択された対面する二個の挟持突片で挟持して融着スリーブを保持することを特徴とする。
【００１４】
また、請求項２記載の発明は、
請求項１に記載の光ファイバケーブルの融着接続トレイにおいて、
前記第１取付部および前記第２取付部は、何れか一方が孔で、かつ、他方が突部の組み合わせであることを特徴とする。
【００１５】
また、請求項３記載の発明は、
光ファイバケーブルの芯線どおしの融着接続部および余長部が収容される箱状の融着接続トレイにおいて、
融着接続トレイに設けられる芯線導入口と、
融着接続トレイの底面に設けられる誘導部と、
板状の本体と、板状の本体の一方の面に形成された被誘導部と、板状の本体の他方の面に一体に突設されるとともに融着スリーブの長手方向に離隔した一組の挟持突片を一行としたときに複数行にわたり配列される複数の挟持突片と、を一体構造として有し、誘導部と被誘導部とを着脱することにより融着接続トレイと着脱自在になされたスリーブ挟持部と、
を備える融着接続トレイであって、
スリーブ挟持部は、誘導部に被誘導部を沿わせながらスリーブ挟持部を移動させて、芯線の長さに応じた最適位置のスリーブ挟持部とし、さらに複数行にわたり設けられる挟持突片の中から選択された対面する二個の挟持突片で挟持して融着スリーブを保持することを特徴とする。
【００１６】
また、請求項４記載の発明は、
請求項３に記載の光ファイバケーブルの融着接続トレイにおいて、
前記誘導部が溝孔で、かつ、前記被誘導部は突部であることを特徴とする。
【００１７】
また、請求項５記載の発明は、
請求項３に記載の光ファイバケーブルの融着接続トレイにおいて、
前記誘導部が長片突部で、かつ、前記被誘導部は凹溝部であることを特徴とする。
【００１８】
また、請求項６記載の発明は、
請求項１〜請求項５の何れか１項に記載の光ファイバケーブルの融着接続トレイにおいて、
前記スリーブ挟持部は挟持突片の数を異ならせた複数種類のスリーブ挟持部の中から、挟持される融着接続部の数により、選択されたスリーブ挟持部が連結されることを特徴とする。
【００１９】
また、請求項７記載の発明は、
請求項１〜請求項６の何れか１項に記載の光ファイバケーブルの融着接続トレイにおいて、
前記融着接続トレイ上に立設され、かつ、芯線の余長部を案内するガイド壁を備え、
前記スリーブ挟持部はガイド壁内にあることを特徴とする。
【００２１】
【発明の実施の形態】
続いて、本発明の第１実施形態である光ファイバケーブルの融着接続トレイについて説明する。まず、融着接続トレイが収容される光ファイバー配線箱の一具体例であるクロージャについて概略説明する。図１はクロージャの内観を示す斜視図、図２は同じく正面図、図３は同じく平面図、図４は同じく右側面図である。図１〜図４では内観を説明するため、開けられた状態のクロージャ１を図示している。
【００２２】
クロージャ１は、図１〜図４で示すように略同一形状の箱であるケース１ａとケース１ｂを備え、ケース１ａおよびケース１ｂとを組み合わせて構成される。ケース１ａとケース１ｂとは図４で示す蝶番１ｃにより回動自在となるようになされている。蝶番１ｃと対向する位置にはバックル１ｄが配置され、バックル１ｄによりクロージャ１が開閉するようになされている。
【００２３】
電柱間に既に架設されて今まで通過していた既存の光ファイバケーブル（以下通過ケーブルという。）２から芯線を引き出して分岐させるため、このクロージャ１は、電柱間に張架されているメッセンジャワイヤ３に吊り金具４により２箇所で固定され、メッセンジャワイヤ３から吊り下げられている。
このように外界で用いられ、雨水・氷雪にさらされるクロージャ１内部の気密性を保持するため、図３で示すようにクロージャ用ゴムパッキン１ｅにより気密が保持される。ケース１ａとケース１ｂとの接合部に隙間が生じて気密性が破られるという事態は回避される。
【００２４】
このクロージャ１の内部では図２で示すようにベースプレート１ｆが固定されており、このベースプレート１ｆには、トレイホルダー５が固定されている。図１，図２で示すように、トレイホルダー５には融着接続トレイ６が多段に積層収容される。以下、これらトレイホルダー５および融着接続トレイ６を総称する場合は、接続収容部７という。図１〜図４ではクロージャ１内に接続収容部７が収容され、融着接続トレイ６はトレイホルダー５から最大限引き出された状態を示している。なお、この融着接続トレイ６については後に詳述する。
【００２５】
接続収容部７で芯線が接続収容される通過ケーブル２は、図４で示すように、クロージャ１の両側に設けられる孔部８にグロメット９を介して挿通される。グロメット９は孔部８の周辺に確実に密着する端面ゴムパッキンであり、気密性を維持する。グロメット９は複数の孔を有しており、所望に応じて複数の図示しない光ファイバケーブルをクロージャ１内に導入することができる。例えば、図示しないものの、分岐ケーブルがクロージャ１内に導入される。
図１〜図４では、図面の明瞭化のため光ファイバケーブルを導入しないものとして密封用のプラグ１０で外界と遮断するものとして図示している。
【００２６】
通過ケーブル２は、通過ケーブル用の固定具１１により２箇所で固定される。これによりクロージャ１が通過ケーブル２およびメッセンジャワイヤ３に強固に固定され、クロージャ１が移動する事態が防止され、光ファイバ芯線の融着接続部に不要な力が掛かる事態は回避される。このようなクロージャ１を用いて分岐線を設ける場合、架空に配置されたクロージャ１を開けて、必要な融着接続トレイ６をトレイホルダ−５から引き出して融着接続作業を行い、融着接続作業終了後、融着接続トレイ６をトレイホルダー５に収容してクロージャを閉じることとなる。
【００２７】
続いて、融着接続トレイについて説明する。
図５は、本実施形態の融着接続トレイの斜視図、図６は同じく三面図であり、図６（ａ）は平面図、図６（ｂ）は正面図、図６（ｃ）は右側面図である。
融着接続トレイ６は、トレイ底面６ａの側部に立設される周壁６ｂにより箱状に形成され、箱内に光ファイバケーブルの芯線どおしの融着接続部および余長部が収容される。
【００２８】
さらに融着接続トレイ６は、芯線導入口６ｃ、ガイド壁６ｄ、スリーブ挟持部６ｅを備えている。
芯線導入口６ｃは、図５，図６（ａ）で示すように融着接続トレイ６の両側に２個設けられている。両側の芯線導入口６ｃから光ファイバを導入する。
ガイド壁６ｄは、トレイ底面６ａから立設しており、芯線導入口６ｃを通じて導入された光ファイバケーブルの芯線を誘導案内してループ状の余長部を形成するために利用される。
しかし、通過ケーブルから引き出された芯線は、充分な長さがないため余長部を形成できず、ガイド壁６ｄでは余長部を形成しないものとする。
【００２９】
スリーブ挟持部６ｅは、ガイド壁６ｄ内においてトレイ底面６ａから一体に突設される複数の挟持突片６ｆを、図６の矢印Ｙ方向に複数行および図６の矢印Ｘ方向に複数列にわたり配置したものである。
芯線に長さに応じた最適位置となるように、スリーブ挟持部６ｅの中の２つの挟持突片６ｆを選択し、芯線どおしの融着接続部を覆う融着スリーブを挟持することができるようになる。
【００３０】
本実施形態によれば、通過ケーブルから引き出された芯線が充分な長さを取れない場合であっても最適位置となるような一対の挟持突片６ｆを選択して、スリーブを挟持でき、融着接続トレイ６内で確実に固定収容することができる。
また、融着接続された既存の芯線に対し新しい芯線と付け替える必要があり、新たに融着接続を行ったため通過ケーブルの芯線が短くなり、融着接続部を覆うスリーブの位置が図６の矢印Ｘ方向に移動したとしても、Ｘ方向の他の列の一対の挟持突片６ｆで挟持でき、融着接続トレイ６内で確実に固定収容できる。
また、芯線の長さが変化したとしても所定の曲率半径を下回らない箇所で挟持することができるため、芯線に無理な力が加わるという事態は回避される。
【００３１】
続いて本発明の第２実施形態の融着接続トレイについて説明する。なお、本実施形態では先の第１実施形態で説明したクロージャは同一であり、融着接続トレイのみが相違するものである。以下、融着接続トレイについてのみ説明し、クロージャについてはその説明を省略する。
【００３２】
図７は、本実施形態の融着接続トレイの平面図、図８，図９は本実施形態の融着接続トレイに取り付けられるスリーブ挟持部の構成図である。
融着接続トレイ２０は、トレイ底面２０ａの側部に立設される周壁２０ｂにより箱状に形成され、箱内に光ファイバケーブルの芯線どおしの融着接続部および余長部が収容される。
【００３３】
さらに融着接続トレイ２０は、芯線導入口２０ｃ、本発明の第１取付部の一具体例である複数の孔２０ｄを備えている。
また、図７に示すように融着接続トレイ２０に対しスリーブ挟持部２０ｅが移動できるようスリーブ挟持部２０ｅは着脱自在に設けられ、図８，図９で示すようにスリーブ挟持部２０ｅは本体２０ｆの一方の面にスリーブを挟持するための複数の挟持突片２０ｇ、および、他方の面に本発明の第２取付部の一具体例である突部２０ｈが設けられている。
【００３４】
芯線導入口２０ｃは、図７で示すように融着接続トレイ２０の周壁２０ｂに２個設けられている。芯線導入口２０ｃから光ファイバケーブルの芯線を導入する。
周壁２０ｂはトレイ底面２０ａから立設しており、外界から覆う機能とともに芯線導入口２０ｃを通じて導入された光ファイバケーブルの芯線を誘導案内してループ状の余長部を形成する機能も有している。
しかし、通過ケーブルから引き出された光ファイバケーブルの芯線は、充分な長さがないため余長部を形成しないものとする。
【００３５】
スリーブ挟持部２０ｅは、図８（ａ）で示すように、８個のスリーブを挟持できるように９個の挟持突片２０ｇを有しており、その反対面には４個の突部２０ｈを有している。
スリーブ挟持部２０ｅは、これ以外にも各種の形状を取ることができる。例えば、図８（ａ），（ｂ），（ｃ）は幅が狭い突部２０ｈを有するスリーブ挟持部２０ｅであり、図９（ａ），（ｂ）は幅が広い突部２０ｈを有するスリーブ挟持部２０ｅである。また異なる数の挟持突片２０ｇとし必要な数の融着スリーブを挟持するようにすることもできる。これらスリーブ挟持部２０を、必要に応じて適宜選択することができる。
【００３６】
また、図７で示すように、トレイ底面２０ａ上でＹ方向に複数行およびＸ方向に複数列にわたり孔２０ｄが設けられている。これら孔２０ｄも幅に広狭があり、先に説明した全てのスリーブ挟持部２０ｅの中から最適なもの選択して取り付けることができる。
【００３７】
なお、本実施形態において、本発明の第１取付部の一具体例として複数の孔２０ｄ、および、本発明の第２取付部の一具体例として突部２０ｈを設ける場合について説明した。しかしながら、第１取付部および第２取付部については各種の形態が可能である。例えば、他の具体例として、第１取付部を複数の孔に代えて複数の突部とし、第２取付部を突部に代えて孔とすることも可能である。これら第１取付部および第２取付部は、適宜設計選択されるが取り付けが可能ならば本発明の実施は可能である。
【００３８】
本実施形態によれば、芯線に長さに応じて形成した芯線どおしの融着接続部を覆う融着スリーブを挟持するのに最適位置となるように、スリーブ挟持部２０ｅの位置を選択の後に孔２０ｄに突部２０ｈを嵌着し、挟持突片２０ｇで融着スリーブを挟持するようにしたので、先に通過ケーブルから引き出された芯線が充分な長さを取れないような場合であってもスリーブを挟持し、融着接続トレイ２０内で確実に固定収容することができる。
【００３９】
また、融着接続部を改めて接続したため通過ケーブルの芯線が短くなり、図７の矢印Ｘ方向に融着接続部を覆うスリーブの位置が移動したとしても、Ｘ方向にスリーブ挟持部２０ｅを移動させた後に挟持突片２０ｇで挟持することができるため、融着接続トレイ２０内で確実に固定収容することができる。
また、芯線の長さが変化したとしても所定の曲率半径を下回らないような最適位置を選択できるため、芯線に無理な力が加わるという事態は回避される。
【００４０】
続いて本発明の第３実施形態の融着接続トレイについて説明する。なお、本実施形態では先の第１実施形態でに説明したクロージャは同一で融着接続トレイのみが相違するものである。以下、融着接続トレイについてのみ説明し、クロージャについてはその説明を省略する。
また、スリーブ挟持部は、先の第２実施形態で図８，図９を用いて説明したスリーブ挟持部と同一として、図８，図９を用いて説明する。
【００４１】
図１０は、本実施形態の融着接続トレイの平面図である。
融着接続トレイ３０は、トレイ底面３０ａの側部に立設される周壁３０ｂにより箱状に形成され、箱内に光ファイバケーブルの芯線どおしの融着接続部および余長部が収容される。
【００４２】
さらに融着接続トレイ３０は、芯線導入口３０ｃ、本発明の誘導部の一具体例である複数の溝孔３０ｄ、スリーブ挟持部３０ｅを備えている。
また、図１０に示すように融着接続トレイ３０に対しスリーブ挟持部３０ｅは着脱自在に設けられ、図８，図９で示すように、スリーブ挟持部３０ｅは本体３０ｆの一方の面にスリーブを挟持するための複数の挟持突片３０ｇ、および、他方の面に本発明の被誘導部の一具体例である突部３０ｈが設けられている。
【００４３】
芯線導入口３０ｃは、図１０で示すように融着接続トレイ３０の周壁３０ｂに２個設けられている。芯線導入口３０ｃから光ファイバケーブルの芯線を導入する。
周壁３０ｂはトレイ底面３０ａから立設しており、外界から覆う機能とともに芯線導入口３０ｃを通じて導入された光ファイバケーブルの芯線を誘導案内してループ状の余長部を形成する機能も有している。
しかし、通過ケーブルから引き出された光ファイバケーブルの芯線は、充分な長さがないため余長部を形成しないものとする。
【００４４】
図１０で示すように、トレイ底面３０ａにＹ方向に４行およびＸ方向に長い溝孔３０ｄが設けられている。これら内側の２つの溝孔３０ｄの幅と外側の２つの溝孔３０ｄの幅とでは広狭があり、先に説明した全てのスリーブ挟持部３０ｅの中から最適なスリーブ挟持部３０ｅを選択することができる。
【００４５】
芯線の長さに応じて形成した芯線どおしの融着接続部を覆う融着スリーブを挟持する場合に最適位置となるようにスリーブ挟持部３０ｅをスライドさせると、溝孔３０ｄに沿ってスリーブ挟持部３０ｅの突部３０ｆが誘導されるため、最適位置を選択して一対の挟持突片３０ｇでスリーブを挟持することができる。
【００４６】
なお、本実施形態において、本発明の誘導部の一具体例として複数の溝孔３０ｄ、および、本発明の被誘導部の一具体例として突部３０ｈを設ける場合について説明した。しかしながら、誘導部および被誘導部については各種の形態が可能である。例えば、他の具体例として、誘導部を複数の溝孔に代えて複数の長片突部とし、第２取付部を突部に代えて凹溝部とすることも可能である。これら誘導部および被誘導部は、摺動自在となる組み合わせを選択すれば本発明の実施は可能となる。
【００４７】
本実施形態によれば、先に通過ケーブルから引き出された芯線が充分な長さを取れないような場合であってもスリーブを挟持し、融着接続トレイ３０内で確実に固定収容することができる。
また、新しい芯線と付け替えるため融着接続部を改めて接続して通過ケーブルの芯線が短くなり、図１０の矢印Ｘ方向に融着接続部を覆うスリーブの位置が移動したとしても、Ｘ方向にスリーブ挟持部３０ｅを移動させて挟持突片３０ｇで挟持することができるため、融着接続トレイ３０内で確実に固定収容することができる。
また、芯線の長さが変化したとしても所定の曲率半径を下回らない位置を選択できるため、芯線に無理な力が加わるという事態は回避される。
【００４８】
以上、第１〜第３の実施形態について説明した。なお、第１実施形態では周壁とガイド壁とを有する形態を、また、第２，第３実施形態では、ガイド壁は有さず周壁のみ有する形態として説明した。しかしながら、第１実施形態ではガイド壁は有さず周壁のみ有する形態とし、また、第２，第３実施形態では周壁とガイド壁とを有する形態とすることも可能である。
【００４９】
また、第１，第２実施形態では、スリーブ挟持部を着脱自在としているので、スリーブ挟持部を取り外して、例えば、余った芯線、必要な接続用工具等、工事を行った際の資料などを収容することもでき、クロージャの利用価値を高めることができる。
【００５０】
【発明の効果】
本発明によれば、融着接続部の位置によらずに融着スリーブを確実に固定する光ファイバケーブルの融着接続トレイを提供することができる。
【図面の簡単な説明】
【図１】クロージャの内観を示す斜視図である。
【図２】クロージャの内観を示す正面図である。
【図３】クロージャの内観を示す平面図である。
【図４】クロージャの内観を示す右側面図である。
【図５】本発明の第１実施形態の融着接続トレイの斜視図である。
【図６】本発明の第１実施形態の融着接続トレイの三面図である。
【図７】本発明の第２実施形態の融着接続トレイの平面図である。
【図８】本発明の第２，第３実施形態の融着接続トレイに取り付けられるスリーブ挟持部の構成図である。
【図９】本発明の第２，第３実施形態の融着接続トレイに取り付けられるスリーブ挟持部の構成図である。
【図１０】本発明の第３実施形態の融着接続トレイの平面図である。
【図１１】従来の分岐点における光ファイバケーブル配線箱の内部構成図である。
【符号の説明】
１                              クロージャ
１ａ                        ケース
１ｂ                        ケース
１ｃ                        蝶番
１ｄ                        バックル
１ｅ                        クロージャ用ゴムパッキン
１ｆ                        ベースプレート
２                              通過ケーブル
３                              メッセンジャワイヤ
４                              吊り金具
５                              トレイホルダー
６                              融着接続トレイ
６ａ                          トレイ底面
６ｂ                          周壁
６ｃ                          芯線導入口
６ｄ                          ガイド壁
６ｅ                          スリーブ挟持部
６ｆ                          挟持突片
７                              接続収容部
８                              孔部
９                              グロメット
１０                            プラグ
１１                            固定具
２０                            融着接続トレイ
２０ａ                        トレイ底面
２０ｂ                        周壁
２０ｃ                        芯線導入口
２０ｄ                        孔
２０ｅ                        スリーブ挟持部
２０ｆ                        本体
２０ｇ                        挟持突片
２０ｈ                        突部
３０                            融着接続トレイ
３０ａ                        トレイ底面
３０ｂ                        周壁
３０ｃ                        芯線導入口
３０ｄ                        溝孔
３０ｅ                        スリーブ挟持部
３０ｆ                        本体
３０ｇ                        挟持突片
３０ｈ                        突部
【図１】
0004255095.tif 000002
【図２】
0004255095.tif 000003
【図３】
0004255095.tif 000004
【図４】
0004255095.tif 000005
【図５】
0004255095.tif 000006
【図６】
0004255095.tif 000007
【図７】
0004255095.tif 000008
【図８】
0004255095.tif 000009
【図９】
0004255095.tif 000010
【図１０】
0004255095.tif 000011
【図１１】
0004255095.tif 000012